(57)【要約】【課題】外気温がサーミスターの検知精度に悪影響を及ぼすことなく、定着装置の小型化を達成し、しかも定着ローラーに進入する用紙の用紙進入路を狭めない定着装置、及びそれを備えた画像形成装置を提供する。【解決手段】サーミスター２２をハウジングに取り付けるサーミスター取付部材２３に風除け板２９を組み付け、サーミスター２２を風除け板２９で用紙進入路側から覆う。サーミスター取付部材２３を風除け板２９から用紙進入路に露出させ、露出部（第２切欠部３１、第３板部２７）が風除け板２９と面一になって風除け板２９の一部を構成している。【選択図】図５
2016122089.tif 000002
【特許請求の範囲】
【請求項１】
ハウジング内に配置された定着ローラーの温度を測定するサーミスターを有する定着装置であって、
上記サーミスターを上記ハウジングに取り付けるサーミスター取付部材と、
該サーミスター取付部材に組み付けられ、上記サーミスターを上記定着ローラーに進入する用紙の用紙進入路側から覆う風除け板とを備え、
上記サーミスター取付部材は、上記風除け板から用紙進入路側に露出して露出部が風除け板と面一になって風除け板の一部を構成していることを特徴とする定着装置。
【請求項２】
請求項１に記載の定着装置において、
上記サーミスターは、上記定着ローラーから離間していて非接触で定着ローラーの温度を測定し、
上記サーミスター取付部材のサーミスター対応箇所には、上記定着ローラーと上記サーミスターとの間の隙間を測定するためにシックネスゲージを挿通する挿通部が形成され、
該挿通部は、隙間測定後、上記風除け板で用紙進入路側から覆われていることを特徴とする定着装置。
【請求項３】
請求項１又は２に記載の定着装置を備えたことを特徴とする画像形成装置。
【発明の詳細な説明】
【技術分野】
【０００１】
本発明は、ハウジング内に配置された定着ローラーの温度を測定するサーミスターを有する定着装置、及びそれを備えた画像形成装置に関する。
【背景技術】
【０００２】
特許文献１〜３に開示されている定着装置は、定着ローラーの温度を測定するサーミスターをそれぞれハウジング内に配置している。
【先行技術文献】
【特許文献】
【０００３】
【特許文献１】特開２０００−１３７４０９号公報
【特許文献２】特開２００２−３１１７４６号公報
【特許文献３】特開平６−１１８８３７号公報
【発明の概要】
【発明が解決しようとする課題】
【０００４】
特許文献１，２では、定着ローラーに進入する用紙の用紙進入路とサーミスターとの間に遮るものがなく、サーミスターが外気温の影響を受けて検知精度が低下する。
【０００５】
特許文献３では、用紙進入路とサーミスターとの間に仕切部があるため、外気温の影響を避けることができるが、サーミスター取付部材と仕切部とが離れた位置にそれぞれ別々に設けられているため、定着装置が大型化する。
【０００６】
本発明はかかる点に鑑みてなされたものであり、その目的とするところは、外気温がサーミスターの検知精度に悪影響を及ぼすことなく、定着装置の小型化を達成し、しかも定着ローラーに進入する用紙の用紙進入路を狭めない定着装置、及びそれを備えた画像形成装置を提供することである。
【課題を解決するための手段】
【０００７】
本発明に係る定着装置は、ハウジング内に配置された定着ローラーの温度を測定するサーミスターを有する。
【０００８】
上記サーミスターを上記ハウジングに取り付けるサーミスター取付部材と、該サーミスター取付部材に組み付けられ、上記サーミスターを上記定着ローラーに進入する用紙の用紙進入路側から覆う風除け板とを備え、上記サーミスター取付部材は、上記風除け板から用紙進入路側に露出して露出部が風除け板と面一になって風除け板の一部を構成している。
【０００９】
この構成によれば、風除け板がサーミスターと用紙進入路とを遮ることで、外気温がサーミスターの検知精度に悪影響を及ぼすことがない。
【００１０】
また、サーミスター取付部材と風除け板とが一箇所で一体になっているので、定着装置がコンパクトになる。
【００１１】
さらに、サーミスター取付部材と風除け板とを面一にして、つまりサーミスター取付部材が風除け板の一部を構成してその分だけ用紙進入路（用紙進入スペース）が拡大し、用紙後端が風除け板に当たらないようにできる。風除け板は、定着ローラーの熱影響を受けて加熱されているので、用紙が定着ローラーに進入する際に用紙後端が跳ねて風除け板に当たると、用紙上の未定着トナー像が風除け板の熱で溶融してトナー像が乱れるが、用紙後端が風除け板に当たらないので、トナー像が乱れない。
【００１２】
この場合、上記サーミスターは、上記定着ローラーから離間していて非接触で定着ローラーの温度を測定し、上記サーミスター取付部材のサーミスター対応箇所には、上記定着ローラーと上記サーミスターとの間の隙間を測定するためにシックネスゲージを挿通する挿通部が形成され、該挿通部は、隙間測定後、上記風除け板で用紙進入路側から覆われていてもよい。
【００１３】
この構成によれば、風除け板をサーミスター取付部材に組み付ける前に、サーミスター取付部材の挿通部にシックネスゲージを挿通して定着ローラーとサーミスターとの間の隙間を測定して当該隙間を適正に設定でき、測定後は、風除け板で挿通部を用紙進入路側から覆って外気温の影響による温度誤検知を防止できる。
【００１４】
本発明に係る画像形成装置は、上記定着装置を備えている。
【発明の効果】
【００１５】
本発明によれば、コンパクトな定着装置でありながら定着ローラーを適正な温度に正確に設定できるとともに、用紙進入路（用紙進入スペース）を拡大することができる。
【図面の簡単な説明】
【００１６】
【図１】図１は、画像形成装置の内部構造を示す概略図である。
【図２】図２は、定着装置を図１の矢印Ａ方向から見た外観斜視図である。
【図３】図３は、図２の定着装置を上下方向に反転させた外観斜視図である。
【図４】図４は、定着装置の内部構造を示す図２におけるＢ−Ｂ線断面図である。
【図５】図５は、サーミスター取付部材に風除け板が組み付けられた状態を示す斜視図である。
【図６】図６は、図５の分解斜視図である。
【図７】図７は、サーミスター取付部材の斜視図である。
【図８】図８は、定着ローラーとサーミスターとの間の隙間を測定する時の定着装置の内部構造を示す断面図である。
【発明を実施するための形態】
【００１７】
以下、本発明の実施形態を図面に基づいて詳細に説明する。なお、本発明は、以下の実施形態に限定されるものではない。
【００１８】
図１は、例えばレーザープリンターや複合機等の画像形成装置１である。この画像形成装置１は、本体筐体部２とその上側に配置されたスキャナ筐体部３とを有している。スキャナ筐体部３内には、原稿画像を読み取るためのスキャナ部４が収容され、本体筐体部２内には、画像形成部５、給紙部６及び定着装置７等が収容されている。
【００１９】
本体筐体部２の上面部には、排紙部８が設けられている。給紙部６から排紙部８に至る用紙搬送経路Ｌには、用紙Ｐを挟持して搬送する複数の搬送ローラー９が配置されている。
【００２０】
給紙部６は、用紙Ｐが収容される給紙カセット１０と、給紙カセット１０内の用紙Ｐを取り出して用紙搬送経路Ｌに送り出すためのピックアップローラー１１とを有している。給紙カセット１０ａより送り出された用紙Ｐは、搬送ローラー９により画像形成部５に供給される。
【００２１】
画像形成部５では、給紙部６より供給された用紙Ｐに対して所定の画像データ（例えばスキャナ部４にて読み取った原稿画像のデータ）に基づくトナー像を転写するとともに、転写後の用紙Ｐを定着装置７に供給する。
【００２２】
図１中、１２は感光体ドラム、１３は、感光体ドラム１２周面を均一に帯電させる帯電器、１４は、感光体ドラム１２周面にレーザー光を照射することで、所定の画像データに応じた静電潜像を形成する露光装置、１５は、感光体ドラム１２周面の静電潜像にトナーを供給してトナー像として顕像化する現像器、１６は、転写ローラー１６ａに転写バイアスを印加することで、感光体ドラム１２周面に形成されたトナー像を用紙Ｐに転写させる転写器、１７は、転写後の感光体ドラム１２周面に付着残存したトナーを清掃するクリーニング装置、１８は、感光体ドラム１２周面の残留電荷を除去する除電器であり、これらにより画像形成部５が構成されている。
【００２３】
定着装置７は、ハウジング１９内に配置された定着ローラー２０及び加圧ローラー２１を備え、画像形成部５より供給される用紙Ｐを定着ローラー２０と加圧ローラー２１との間で加圧することにより、当該用紙Ｐにトナー像を定着させる。
【００２４】
定着装置７にてトナー像が定着された用紙Ｐは、定着ローラー２０及び加圧ローラー２１により用紙搬送経路Ｌの下流側へと送り出され、搬送ローラー９により排紙部８に排出される。
【００２５】
ハウジング１９内の用紙進入路Ｌ１側には、図４に示すように、サーミスター２２が定着ローラー２０から隙間Ｃをあけて離間して配置され、非接触で定着ローラー２０の温度を測定するようになっている。サーミスター２２は、図５〜図７に示すように、サーミスター取付部材２３に嵌着されている。
【００２６】
具体的には、サーミスター取付部材２３は、長方形の第１板部２４を備え、第１板部２４の長手方向略半分の領域にサーミスター２２が嵌着されている。第１板部２４のサーミスター２２側一端には、取付孔２５ａを有する取付片２５が一体に突設され、取付孔２５ａにボルト等の取付具（図示せず）を挿入してサーミスター取付部材２３をハウジング１９に固定し、サーミスター２２をサーミスター取付部材２３でハウジング１９に取り付けている。
【００２７】
第１板部２４の一方の長辺には、長方形の第２板部２６と第３板部２７とが互いに間隔をあけてそれぞれ第１板部２４と直交するように一体に突設され、第２板部２６と第３板部２７との間は、サーミスター２２に対応していて、サーミスター対応箇所には、定着ローラー２０とサーミスター２２との間の隙間Ｃを測定するためにシックネスゲージＧ（図８参照）を挿通する挿通部２８が形成されている。
【００２８】
サーミスター取付部材２３には、長尺の風除け板２９が組み付けられている。なお、シックネスゲージＧによる隙間Ｃ測定は、風除け板２９を組み付ける前段階に行われる。
【００２９】
このように、サーミスター２２をサーミスター取付部材２３でハウジング１９の用紙進入路Ｌ１側に取り付けた後、風除け板２９を組み付ける前段階で、サーミスター取付部材２３の挿通部２８にシックネスゲージＧを挿通して定着ローラー２０とサーミスター２２との間の隙間Ｃを測定することで、当該隙間Ｃを適正に設定し、定着ローラー２０の温度を正確に測定することができる。
【００３０】
風除け板２９の一方の長辺には、２個の矩形状の第１切欠部３０及び第２切欠部３１がサーミスター取付部材２３の第２板部２６及び第３板部２７にそれぞれ対応して形成され、風除け板２９をハウジング１９に固定した状態で、第２板部２６が第１切欠部３０に嵌合するとともに、第３板部２７が第２切欠部３１に嵌合し、かつ第１切欠部３０と第２切欠部３１との間の板片２９ａが挿通部２８に嵌合して、サーミスター２２を風除け板２９で用紙進入路Ｌ１側から覆っている。
【００３１】
これにより、第２板部２６及び第３板部２７は、図２〜図４に示すように、風除け板２９から用紙進入路Ｌ１側に露出して風除け板２９と面一になって風除け板２９の一部を構成し、風除け板２９がサーミスター２２を用紙進入路Ｌ１側から覆っている。
【００３２】
したがって、風除け板２９がサーミスター２２と用紙進入路Ｌ１とを遮ることで、外気温の影響によるサーミスター２２の温度誤検知を防止することができる。
【００３３】
また、サーミスター取付部材２３と風除け板２９とが一箇所で一体になることで、コンパクトな定着装置７にすることができる。
【００３４】
さらに、サーミスター取付部材２３の第２板部２６及び第３板部２７と風除け板２９とを面一にして、つまり第２板部２６及び第３板部２７が風除け板２９の一部を構成してその分だけ用紙進入路Ｌ１（用紙進入スペース）が拡大し、用紙Ｐが定着ローラー２０に進入する際に用紙Ｐ後端が風除け板２９に当たらないようにすることができ、定着ローラー２０の熱影響を受けて加熱された風除け板２９の熱で用紙Ｐ上の未定着トナー像が溶融してトナー像が乱れるのを防止することができる。
【産業上の利用可能性】
【００３５】
以上説明したように、本発明は、ハウジング内に配置された定着ローラーの温度を測定するサーミスターを有する定着装置、及びそれを備えた画像形成装置について有用である。
【符号の説明】
【００３６】
１    画像形成装置
７    定着装置
１９  ハウジング
２０  定着ローラー
２２  サーミスター
２３  サーミスター取付部材
２６  第２板部（露出部）
２７  第３板部（露出部）
２８  挿通部
２９  風除け板
Ｃ    隙間
Ｇ    シックネスゲージ
Ｌ１  用紙進入路
Ｐ    用紙
【図１】
2016122089.tif 000003
【図２】
2016122089.tif 000004
【図３】
2016122089.tif 000005
【図４】
2016122089.tif 000006
【図５】
2016122089.tif 000007
【図６】
2016122089.tif 000008
【図７】
2016122089.tif 000009
【図８】
2016122089.tif 000010